(57)【要約】      （修正有）【課題】トレイの振動により発生する騒音を効果的に抑制できると共に、振動防止用のダンパを簡単な構造でシャーシに固定する。【解決手段】ディスク装置は、トレイ６２に載置されたディスクを回転する回転駆動機構７０と、ディスクからの情報を再生又はディスクに情報を記録するための光学装置と、光学装置を移動させる移動機構と、これらを支持すると共にトレイ６２の開閉動作に応じてディスクに対して接離動可能にチルトするシャーシ７１と、シャーシ７１への振動を防振するダンパ７５とを備え、トレイ６２が閉じた際に、ダンパ７５をトレイ６２の下面に接触させるようにした。ダンパ７５は、シャーシ７１の前端部分に配置されたダンパである。【選択図】        図４
2004280917.tif 000002
【特許請求の範囲】
【請求項１】
トレイに載置されたディスクを回転する回転駆動機構と、前記ディスクからの情報を再生又は前記ディスクに情報を記録するための光学装置と、前記光学装置を移動させる移動機構と、これらを支持すると共に前記トレイの開閉動作に応じて前記ディスクに対して接離動可能にチルトするシャーシとを備えたディスク装置において、
前記トレイの閉動作により前記ディスクをクランプする際に、前記シャーシに嵌合され前記シャーシへの振動を防振するダンパを前記トレイの下面に接触させることを特徴とするディスク装置。
【請求項２】
前記ダンパは、前記シャーシの前端部分に配置されたダンパであることを特徴とする請求項１記載のディスク装置。
【請求項３】
前記ディスク装置は更に、前記シャーシの脱落を防止する脱落防止用の突起を有することを特徴とする請求項１又は請求項２に記載のディスク装置。
【請求項４】
前記ディスク装置は更に、前記シャーシを固定する他のシャーシと、
前記他のシャーシに設けられ上方に向けて突出する突起とを有し、
前記突起を前記ダンパに形成された中空部に挿入することを特徴とする請求項１から請求項３のいずれか一項に記載のディスク装置。
【発明の詳細な説明】
【０００１】
【発明の属する技術分野】
本発明は、トレイが突出入可能に設けられたディスク装置に関する。
【０００２】
【従来の技術】
従来からトレイが突出入可能に設けられたディスク装置が知られている。図６は、特許文献１記載のディスク装置を説明するための図であって、トレイが突出した際のディスク装置の外観斜視図を示している。図７は、従来のディスク装置の内部構成を示す図である。ディスク装置２０は、ＣＤやＤＶＤなどの光ディスクを再生したり記録したりするための装置である。
【０００３】
ディスク装置２０は、本体２１に、光ディスク（以下、単にディスクという場合もある）を載置するトレイ２２が突出入するように設けられている。本体２１前面に設けられている符号２４は再生ボタンであり、符号２５はイジェクトボタン、符号２６はボリューム、符号２７は再生時等に点灯するインジケータ、符号２８はヘッドホンまたはイヤホンを差し込むジャックである。
【０００４】
ディスク装置２０は、本体２１内に金属製のメカシャーシ３１が設けられている。メカシャーシ３１は、ディスクを回転させるスピンドルモータ３０や、ディスクに記録されたデータを読み取る光ピックアップ３２が設けられている。スピンドルモータ３０の回転軸には、ディスクを載置するターンテーブル３３が設けられている。
【０００５】
光ピックアップ３２は、２本のガイドシャフト３４に沿って駆動モータ３６によって移動する。符号４３は、メインシャーシ４１に立てたれたボスであり、トレイ２２をこのボス４３に嵌合させることにより、トレイ２２の振動を抑制するようにしている。
【０００６】
メカシャーシ３１は、後端部３１ｂを支点として前端部３１ａが上下動するチルト機構を有している。メカシャーシ３１は、トレイ２２が本体２１内に収納された際に、チルト機構により下方からトレイ２２へ接近してターンテーブル３３とチャッキングプーリ（図示せず）との間でディスクを挟み込むように動作する。このようにメカシャー３１のチルトによりディスクがクランプされてディスクの記録・再生が行なわれるのである。
【０００７】
トレイ２２が本体２１から突出する際には、トレイ２２からディスクが取り出せるように、メカシャーシ３１がチルトしてトレイ２２から下降する。この動作によりディスクのクランプが解除される。
【０００８】
また、符号４８はスライド部材である。スライド部材４８は、メカシャーシ３１の前端部３１ａにおいて、メカシャーシ３１に対して左右方向にスライド可能に設けられている。スライド部材４８の左右方向へのスライド移動は、トレイ２２の突出入動作に伴って、トレイ２２により駆動される。符号４９は押動ピンである。
【０００９】
また、従来のディスク装置２０では、メかシャーシ３１を含むメカユニット５１を、ダンパ５２を介してサブシャーシ５０及びメインシャーシ４１に設けられたボス（図示省略）に挿入して水平方向の位置を保っていた。上下方向においては、頭部が扁平している特殊なネジ５３を用いて、ダンパ５２がボスから抜けるのを防止していた。
【００１０】
また、特許文献２に記載されるように、振動を緩衝材によって吸収するディスク装置も知られている。
【００１１】
【特許文献１】
特開２００２−３６７２６４号公報
【特許文献２】
特開平８−３６８３０号公報
【発明が解決しようとする課題】
しかしながら、特許文献１記載の従来のディスク装置では、トレイ２２をメインシャーシ４１に立てられたボス４３に嵌合することにより、トレイ２２の振動を抑制するようにしていたが、ディスク装置の構造上、トレイ２２後方部分にしかその構造を取り入れることができない。そのため、振動源に近いトレイ２２の前方付近の振動を効果的に抑えることができなかった。トレイ２２の前方付近は、パソコン等に取りつけた際に、外観部に近いため、振動により発生する騒音が問題となっていた。
【００１２】
また、従来のディスク装置のように、ダンパ５２を固定する際に、特殊ネジ５３を使用した場合、コスト、工数の面で不利な上、特に樹脂部品に対して行うネジ締めは雌ネジの破損による組み立て時の部品破損の恐れもある。
【００１３】
また、サブシャーシ５０側の取り付けについては、メカシャーシ３１を高い位置で支持する為に、トレイ２２に、特殊ネジ５３の頭部を逃がすための穴５４を設ける必要もあり、構造が複雑になっていた。
【００１４】
そこで、本発明は上記従来技術の問題点を解決し、簡単な構造でトレイの振動を効果的に抑制できるディスク装置を提供することを目的とする。
【００１５】
【課題を解決するための手段】
上記課題を解決するために、請求項１記載のディスク装置は、トレイに載置されたディスクを回転する回転駆動機構と、前記ディスクからの情報を再生又は前記ディスクに情報を記録するための光学装置と、前記光学装置を移動させる移動機構と、これらを支持すると共に前記トレイの開閉動作に応じて前記ディスクに対して接離動可能にチルトするシャーシとを備えたディスク装置において、前記トレイの閉動作により前記ディスクをクランプする際に、前記シャーシに嵌合され前記シャーシへの振動を防振するダンパを前記トレイの下面に接触させることを特徴とする。
【００１６】
請求項１記載の発明によれば、トレイの閉動作により前記ディスクをクランプする際に、ダンパをトレイに接触させるようにしたので、再生時にトレイに発生する振動を抑制することができる。これにより、トレイの振動により発生する騒音を低減することができる。
【００１７】
また、本発明は、請求項２に記載のように、請求項１記載のディスク装置において、前記ダンパは、前記シャーシの前端部分に配置されたダンパであることを特徴とする。請求項２記載の発明によれば、ダンパは、シャーシの前端部分に配置されたダンパであるため、シャーシのチルトにより、トレイ前方を押えることができる。これにより、トレイに発生する振動を抑制することができ、トレイの振動により発生する騒音を低減することができる。
【００１８】
また、請求項３記載のディスク装置は、請求項１又は請求項２に記載のディスク装置において、更に、前記シャーシの脱落を防止する脱落防止用の突起を有することを特徴とする。請求項３記載の発明によれば、ディスク装置は内部に、脱落防止用の突起を有するので、シャーシが脱落するのを防止することができる。
【００１９】
また、請求項４記載のディスク装置は、請求項１から請求項３のいずれか一項に記載のディスク装置において、更に、前記シャーシを固定する他のシャーシと、前記他のシャーシに設けられ上方に向けて突出する突起とを有し、前記突起を前記ダンパに形成された中空部に挿入したことを特徴とする。
【００２０】
請求項４記載の発明によれば、ディスク装置は更に、シャーシを固定する他のシャーシと、他のシャーシに設けられ上方に向けて突出する突起とを有し、突起をダンパに形成された中空部に挿入するようにしたので、ダンパを固定する際に、従来必要であったネジが不要となるため、材料費、工数の削除も見込める。
【００２１】
【発明の実施の形態】
以下、本発明を適用した実施の形態について、図面を参照しながら説明する。図１は、本実施の形態に係るディスク装置のトレイが突出している状態を示す斜視図である。図２は、本実施の形態に係るディスク装置の内部構成図である。ディスク装置６０は、ＣＤやＤＶＤなどの光ディスクを再生したり記録したりするための装置である。
【００２２】
ディスク装置６０は、本体６１に、光ディスクを載置するトレイ６２が突出入するように設けられている。図２ではトレイ６２を、省略している。ディスク装置６０は、本体６１内に金属製のメカシャーシ７１が設けられている。メカシャーシ７１は、ディスクを回転させるスピンドルモータ７０や、ディスクに記録されたデータを読み取る光ピックアップ７２が設けられている。メカシャーシ７１がシャーシに相当する。スピンドルモータ７０が回転駆動機構に、光ピックアップ７２が光学装置に相当する。
【００２３】
スピンドルモータ７０の回転軸には、ディスクを載置するターンテーブル７３が設けられている。また、光ピックアップ７２は、２本のガイドシャフト７４に沿って駆動モータ（図示省略）によって移動する。これらが移動機構に相当している。
【００２４】
メカシャーシ７１は、後端部７１ｂを支点として前端部７１ａが上下動するチルト機構を有している。メカシャーシ７１は、トレイ６２が本体６１内に収納される際に、チルト機構により下方からトレイ６２へ接近してターンテーブル７３とチャッキングプーリ（図示せず）との間でディスクを挟み込むように動作する。このようにメカシャーシ７１のチルトによりディスクがクランプされてディスクの記録・再生が行なわれる。
【００２５】
トレイ６２が本体６１から突出する際には、トレイ６２からディスクが取り出せるように、メカシャーシ７１がチルトしてトレイ６２から下降する。この動作によりディスクのクランプが解除される。
【００２６】
符号７５Ａ、７５Ｂ、７５Ｃ、７５Ｄはダンパ、符号７７Ａ、７７Ｂ、７７Ｃ、７７Ｄはメカシャーシ７１の脱落を防止する脱落防止用の突起である。脱落防止用の突起７７Ａ、７７Ｂ、７７Ｃはサブシャーシ７６に設けられている。脱落防止用の突起７７Ｄは、メインシャーシ８１に設けられている。脱落防止用の突起７７Ａ、７７Ｂ、７７Ｃ、７７Ｄは、これらの箇所に限られず、ディスク装置内であればいずれの箇所に設けてもよい。
【００２７】
本実施の形態では、ダンパ７５はネジにより固定されていない。トレイ６２が閉じた際に、ダンパ７５をトレイ６２の下面に接触させるようにして固定するため、ダンパ７５をネジにより固定する必要がない。符号８８はスライド部材であり、図では、接続前の状態を示している。スライド部材８８は、図７で示したのと同様に、メカシャーシ７１の前端部７１ａにおいて、メカシャーシ７１に対して左右方向にスライド可能に設けられている。スライド部材８８の左右方向へのスライド移動は、トレイ６２の突出入動作に伴って、トレイ６２により駆動される。
【００２８】
すなわち、スライド部材８８の上面には、上方に突出する押動ピン８９が形成され、この押動ピン８９がトレイ６２の下面に形成されているガイド溝９８（図３参照）内に摺動可能に収納される。トレイ６２の突出入によってガイド溝９８に沿って押動ピン８９が左右に移動され、スライド部材８８が左右にスライドする。
【００２９】
次に、図３に基づいてトレイ６２について説明する。図３は、トレイを説明するための図であり、トレイの下面を示している。ガイド溝９８は、トレイ６２の下面において、トレイ６２の下方から上方に向けて突出する押動ピン８９を収納することができる程度の幅に形成された溝であって、トレイ６２の突出入方向にそって延びる縦部９９と、横方向に延びる横部１００と、横部１００と縦部９９とを連結している斜め部１０１とから成る。
【００３０】
つまり、ガイド溝９８は、上述したようにメカシャーシ７１をチルトさせるスライド部材８８を左右にスライドさせるために、スライド部材８８の押動ピン８９が挿入され、押動ピン８９を左右に押動するものである。
【００３１】
図４は、図２のＡ−Ａ断面図を簡略化して示したものである。図４（ａ）は、トレイ６２が突出して、メカシャーシ７１が下降している状態を示している。図４（ｂ）はトレイ６２が収納され、メカシャーシ７１が上昇している状態を示している。図４において、６２はトレイ、７０はスピンドルモータ、７１はメカシャーシ、７５Ａ、７５Ｂはダンパ、７６はサブシャーシ、７７Ａ、Ｂはメカシャーシ７１の脱落を防止する脱落防止用の突起、７８はサブシャーシから上方に立てられたボス、７９はダンパ７５Ａ、７５Ｂに形成されボスを通すダンパ中空部をそれぞれ示している。
【００３２】
トレイ６２がディスク装置６０から突出する際には、図４（ａ）に示すように、メカシャーシ７１がトレイ６２に対して下降している状態にある。一方、トレイ６２がディスク装置６２内に収納された際、すなわちトレイ６２が閉じたときには、図４（ｂ）に示すように、メカシャーシ７１をトレイ６２に対して上昇させ、ダンパ７５Ａ、７５Ｂをトレイ６２の下面に接触させる。
【００３３】
ここで、ダンパ７５をトレイ６２に接触させる際に、メカシャーシ７１の前端部分に配置されたダンパだけを接触させるようにしてもよい。例えば、メカユニット９１を支持しているサブシャーシ７６側のダンパだけを接触させるようにしてもよい。
【００３４】
このように、トレイ６２の閉動作によりディスクをクランプする際に、ダンパ７５をトレイに接触させるようにしたので、トレイ６２に発生する振動を抑制することができる。これにより、トレイの振動により発生する騒音を低減することができる。
【００３５】
次に、トレイの動作と、押動ピンの動き、それに基づくメカシャーシのチルトについて説明する。トレイ６２が収納されているとき、押動ピン８９は横部１００に位置している（図３の位置Ａ）。トレイ６２が前方に突出していくと、押動ピン８９はガイド溝９８に沿って斜め部１０１内に移動する（位置Ｂ）。
【００３６】
横部１００から斜め部１０１に押動ピン８９が移動することによって、スライド部材８８が左右にスライド移動してメカシャーシ７１が下降する。さらにトレイ６２が前方に突出していくと、押動ピン８９は縦部９９内に移動する（位置Ｃ）。縦部９９内の押動ピン８９は、左右方向にはこれ以上移動することがないので、メカシャーシ７１はトレイ６２の突出が終了するまで、前端部７１ａが下降したままの状態である。すなわち、トレイ６２がディスク装置６０から突出する際には、図４（ａ）に示すように、メカシャーシ７１がトレイ６２に対して下降した状態になる。
【００３７】
一方、突出していたトレイ６２を収納させていく場合、まず押動ピン８９は縦部９９内に位置しており、メカシャーシ７１は前端部７１ａが下降したままの状態である。さらにトレイ６２が収納していくと、押動ピン８９は斜め部１０１内に移動し、徐々に左右方向に移動していく。これによって、スライド部材８８が徐々に左右方向に移動してメカシャーシ７１は前端部７１ａが徐々に上昇するように移動する。
【００３８】
さらに、トレイ６２が収納されて収納位置で停止すると押動ピン８９は横部１００に位置し、メカシャーシ７１の前端部７１ａは完全に上昇してディスクをクランプする位置で停止する。つまり、トレイ６２がディスク装置６０内に収納されたとき、すなわちトレイ６２が閉じたときには、図４（ｂ）に示すように、メカシャーシ７１がトレイ６２に対して上昇し、ダンパ７５をトレイ６２の下面に接触させた状態でトレイ６５を固定する。
【００３９】
本実施の形態によれば、トレイの閉動作によりディスクをクランプする際に、ダンパ７５をトレイ６２に接触させるようにしたので、再生時にトレイ６２に発生する振動を抑制することができる。これにより、トレイの振動により発生する騒音を低減することができる。
【００４０】
また、ダンパは、メカシャーシ７１の前端部分に配置されたダンパ７５Ａ、７５Ｂであるため、メカシャーシ７１のチルトにより、トレイ６２の前方を押えることができる。メカユニット９１を支持しているサブシャーシ７１側のダンパ７５Ａ、７５Ｂでトレイ６２を押えるようにするとよい。
【００４１】
また、ディスク装置６０内部に、脱落防止用の突起７７Ａ、７７Ｂ、７７Ｃ、７７Ｄを設けたので、メカシャーシ７１がサブシャーシ７６のボス７８から抜けるのを防止することができる。
【００４２】
また、ディスク装置６０は更に、サブシャーシ７１を固定する他のシャーシと、他のシャーシに設けられ上方に向けて突出する突起（ボス）７８とを有し、突起７８をダンパ７５Ａ、７５Ｂに形成された中空部７９に挿入するようにしたので、従来必要であったネジが不要となったため、材料費、工数の削除も見込める。本実施の形態では、他のシャーシとしてサブシャーシ７６を例にとって説明しているが、メインシャーシ８１に突起（ボス）７８を設けるようにしてもよい。また、ネジで固定しないので、異素材を使用しないため、環境に対しても有効である。フックの形状、大きさを考慮することにより、ネジ止めよりも高い信頼性を得ることができる。
【００４３】
また、ダンパ７５は、図５に示すように、頭部に突起７５１が多数配列された形状のものを用いると良い。この突起によりトレイの振動を吸収することができる。なお、図５では、突起７５１が放射状に配列されたダンパを示しているがこれには限定されることなく、例えば、突起を周方向に沿って配列されたダンパを用いてもよい。
【００４４】
以上、本発明の一実施の形態を説明した。本発明は上記実施の形態に限定されるものではなく、本発明の要旨の範囲内において種々の変形が可能である。
【００４５】
【発明の効果】
以上説明した本発明によれば、簡単な構造でトレイの振動を効果的に抑制できるディスク装置を提供できる。
【図面の簡単な説明】
【図１】本実施の形態に係るディスク装置のトレイが突出している状態を示す斜視図である。
【図２】本実施の形態に係るディスク装置の内部構成図である。
【図３】トレイの下面を示す図である。
【図４】図２のＡ−Ａ断面図を簡略化して示したものである。
【図５】ダンパの構成例を示す図である。
【図６】トレイが突出した際の従来のディスク装置の外観斜視図を示している。
【図７】従来のディスク装置の内部構成を示す図である。
【符号の説明】
６０  ディスク装置
６２  トレイ
７０  スピンドルモータ
７１  メカシャーシ
７５Ａ、７５Ｂ、７５Ｃ、７５Ｄ  ダンパ
７６  サブシャーシ
７７Ａ、７７Ｂ、７７Ｃ、７７Ｄ  脱落防止用の突起
【図１】
2004280917.tif 000003
【図２】
2004280917.tif 000004
【図３】
2004280917.tif 000005
【図４】
2004280917.tif 000006
【図５】
2004280917.tif 000007
【図６】
2004280917.tif 000008
【図７】
2004280917.tif 000009